(57)【要約】【課題】１つ前の画面に戻る操作をなくすとともに、表示部のサイズが小さくても視認及び操作に問題のないボタン表示方法を提供することである。【解決手段】上階層のボタンを表示しているメニュー画面４０で何れかのボタンが押下されると、押下されたボタンの１段下階層のボタンを表示する画面に遷移するボタン表示方法において、メニュー画面４０に移動操作可能な枠５１を重畳し、枠５１内には、枠５１内に位置するＰＯＩ設定ボタンの１段下階層の周辺検索ボタン５２、Ｅｘｉｔボタン５３、目的地周辺ボタン５４、ＰＯＩ設定ボタン５５を操作可能に表示する。【選択図】図４
2010061348.tif 000002
【特許請求の範囲】
【請求項１】
上階層のボタンを表示している第１画面で何れかのボタンが押下されると、押下されたボタンの１段下階層のボタンを表示する第２画面に遷移するボタン表示方法において、
第１画面に移動操作可能な枠を重畳し、
前記枠内には、枠内に位置するボタンの１段下階層のボタンを表示することを特徴とするボタン表示方法。
【請求項２】
前記枠内に表示している下階層のボタンは操作可能であることを特徴とする請求項１記載のボタン表示方法。
【請求項３】
前記枠内に位置する上階層のボタンが１つである場合、前記枠内には、該ボタンの１段下階層の全て又は一部のボタンを表示し、
前記枠内に位置する上階層のボタンが複数ある場合、前記枠内には、それらのボタンそれぞれの１段下階層のボタンを一部ずつ表示することを特徴とする請求項１又は２記載のボタン表示方法。
【請求項４】
請求項１〜３の何れかに記載のボタン表示方法を用いたポータブル装置。
【請求項５】
前記枠の表示／非表示を切り替える切替手段を有することを特徴とする請求項４記載のポータブル装置。
【発明の詳細な説明】
【技術分野】
【０００１】
本発明は、上階層のボタンを表示している第１画面で何れかのボタンが押下されると、押下されたボタンの１段下階層のボタンを表示する第２画面に遷移するボタン表示方法及びそれを用いたポータブル装置に関する。
【背景技術】
【０００２】
従来、多くの装置の表示方法においては、ボタンが押下されることにより、次の画面に遷移する方式が採られている。例えば、タッチパネルを採用したナビゲーション装置を例に説明する。図８Ａはナビゲーション装置のメニュー画面の一例であり、図８Ｂは図８Ａの遷移画面の一例である。図８Ａのメニュー画面９０には、住所ボタン９１、お気に入りボタン９２、ＰＯＩ（Point of interest）ボタン９３、ナビ設定ボタン９４が表示されている。図８Ｂの遷移画面１００には、周辺検索ボタン１０１、Ｅｘｉｔボタン１０２、目的地周辺ボタン１０３、ＰＯＩボタン１０４、戻るボタン１０５が表示されている。
【０００３】
ユーザが図８Ａのメニュー画面９０においてＰＯＩボタン９３を押下すると、ＰＯＩに属する機能のボタンが配列された図８Ｂの遷移画面１００が表示される。このように、ボタンを押す毎に１段下の階層のボタンが表示されるようになっている。
【０００４】
また例えば、特許文献１には、タブを用いることにより、１つ前の画面に戻る操作を省いたユーザーインターフェース用表示装置が開示されている。
【特許文献１】特開２００２−４０８８０号公報
【発明の開示】
【発明が解決しようとする課題】
【０００５】
しかしながら、図８Ａ及び図８Ｂに示した手法では、ボタンを押下しないと下の階層のボタンを把握することができない。したがって、ユーザは利用したい機能を探す際に、ボタンを押下して下の階層の機能を確認し、所望の機能が見つからなければ戻るボタン１０５を押下して１つ前の画面に戻って違うボタンを押下するという操作を繰り返さなければならず、利便性に欠けていた。
【０００６】
また特許文献１の技術をポータブルナビゲーション装置など表示部のサイズが制限されている機器に適用すると、タブのサイズが小さくなってしまうため、視認し難く、操作もしにくいという問題が生じる。
【０００７】
そこで本発明は、１つ前の画面に戻る操作をなくすとともに、表示部のサイズが小さくても視認及び操作に問題のないボタン表示方法を提供することを目的とする。また、そのボタン表示方法を用いたポータブル装置を提供することも目的とする。
【課題を解決するための手段】
【０００８】
上記目的を達成するために本発明は、上階層のボタンを表示している第１画面で何れかのボタンが押下されると、押下されたボタンの１段下階層のボタンを表示する第２画面に遷移するボタン表示方法において、第１画面に移動操作可能な枠を重畳し、前記枠内には、枠内に位置するボタンの１段下階層のボタンを表示することを特徴とする。
【０００９】
この構成によると、異なる階層のボタンを同時に１画面に表示することができる。
【００１０】
上記ボタン表示方法において、前記枠内に表示している下階層のボタンは操作可能であることが望ましい。
【００１１】
この構成によると、枠内、枠外に関わらず画面内のボタンが押下された場合は、次の画面に遷移するので、ユーザは特に枠内のボタンを押下したい場合に押下回数が少なくて済み、利便性が高い。
【００１２】
また上記ボタン表示方法において、前記枠内に位置する上階層のボタンが１つである場合、前記枠内には、該ボタンの１段下階層の全て又は一部のボタンを表示し、前記枠内に位置する上階層のボタンが複数ある場合、前記枠内には、それらのボタンそれぞれの１段下階層のボタンを一部ずつ表示することが望ましい。
【００１３】
この構成によると、枠を移動させなくても一度に１段下階層のボタンを視認することができ、また、それぞれのボタンにある程度の大きさを確保しながら表示することができる。
【００１４】
また本発明のポータブル装置は、上記の何れかに記載のボタン表示方法を用いることとする。
【００１５】
上記ポータブル装置において、前記枠の表示／非表示を切り替える切替手段を有することが望ましい。
【００１６】
この構成によると、ユーザの好みを反映させることができる。
【発明の効果】
【００１７】
本発明によれば、枠を用いることにより、ユーザは異なる階層のボタンを同時に見ることができる。換言すれは、両者のボタンを見るために画面を切り換える必要がなく、操作が簡便になる。また、枠内には限られた数のボタンしか表示しないので、ポータブル装置のように表示部のサイズが小さくても視認及び操作し易い大きさのボタンを維持することができる。
【発明を実施するための最良の形態】
【００１８】
以下、本発明のボタン表示方法を用いたナビゲーション装置を例に説明する。図１は、本発明のポータブルナビゲーション装置の主要な構成を示すブロック図である。
【００１９】
ポータブルナビゲーション装置１０は、車両搭載用であって、ＧＰＳ（Global Positioning System）衛星から受信した電波に基づいて車両位置を特定し、車両位置とともにその付近の地図が示された誘導画面を表示して、誘導経路に沿って車両を目的地まで誘導することを主たる機能としている。
【００２０】
ポータブルナビゲーション装置１０は、ＧＰＳ部１１と、ジャイロセンサ１２と、車速センサ１３と、インターフェース部１４と、制御部１５と、記録媒体１９と、ドライブ部２０と、描画部２１と、表示制御部２２と、表示部２３と、音源回路部２４と、スピーカ２５と、ハードキー２６と、タッチパネル２７と、位置検出部２８と、インターフェース部２９とを備えている。
【００２１】
ＧＰＳ部１１は、受信アンテナ及びチューナ等で構成されており、ＧＰＳ衛星から受信した電波を処理して測位用データを取り出す。取り出された測位用データは、インターフェース部１４を介して制御部１５に送られる。制御部１５は、ＧＰＳ部１１から送られた測位用データに基づいて車両の現在地を特定する。ポータブルナビゲーション装置１０は、所謂ハイブリッド方式を採用しており、車両の向きを検知するためのジャイロセンサ１２と、車両の速度を検知するための車速センサ１３も併用する。ジャイロセンサ１２や車速センサ１３の検知信号はインターフェース部１４を介して制御部１５に送られ、制御部１５はそれらの信号に基づいて車両の向きや速度を特定する。
【００２２】
また、制御部１５は、ポータブルナビゲーション装置１０の制御を統括的に行うとともに、車両位置の特定や経路探索等の各種動作及び処理を実行する。制御部１５は、例えばマイクロコンピュータで構成されており、制御や動作の手順が記述された各種プログラムを実行するＣＰＵ１６と、ＣＰＵ１６で使用されるデータや、後述する記録媒体１９から読み出されてＣＰＵ１６で実行されるプログラムを一時的に記憶するＲＡＭ１７と、立ち上げや入出力等に関する基本的な制御を記述したプログラムやフォントデータ等を記憶するＲＯＭ１８とを含んでいる。これらＣＰＵ１６、ＲＡＭ１７、ＲＯＭ１８等は、バス（不図示）を介して接続されている。
【００２３】
記録媒体１９には、ハードディスク、メモリーカード、光ディスク等を採用できる。記録媒体１９には、誘導画面の表示や経路探索などに必要となる地図データベースと、ポータブルナビゲーション装置１０の各種動作を記述したプログラムとが格納されている。そして、制御部１５は、記録媒体１９からドライブ部２０を介してこのプログラムを読み出して実行する。地図データベースには、道路、施設、背景等の情報を含む地図データ、地図データに基づいて地図や誘導画面を描画する際に参照される描画パラメータ、各種検索にて参照される索引データ、経路誘導用やその他の用途の音声の生成に使用される音声データ等が含まれている。そして、制御部１５は、実行する動作に必要なデータを地図データベースから部分的に取り出して参照する。
【００２４】
描画部２１は、描画専用のＣＰＵ等を含むＩＣチップであって、制御部１５からの指示に基づいて、誘導画面の画像データや操作画面の画像データ等を作成する。描画部２１で作成された画像データは、表示制御部２２に送られ、表示制御部２２が有するＲＡＭに記憶される。表示制御部２２は、記憶した画像データに基づいて表示部２３に画像表示用の信号を送り、表示部２３の表示領域に画像データに係る画面を表示させる。表示部２３には、ＬＣＤや有機ＥＬディスプレイなどが用いられる。
【００２５】
音源回路部２４は、制御部１５から送られた音声データに基づいて、経路誘導用やその他の用途のアナログ音声信号を生成する。生成されたアナログ音声信号は、スピーカ２５で再生される。
【００２６】
ハードキー２６は、電源のオン／オフをする電源キーや音量調整用のキー等を含んでいる。ハードキー２６を構成するキーの１つが押下されると、そのキーの押下を通知する信号がインターフェース部２９を介して制御部１５に送られる。
【００２７】
タッチパネル２７は、例えば、格子状に配置された透明な電極を有する感圧式のパネルであって、表示部２３の表示領域上に配設される。タッチパネル２７が押下されると、位置検出部２８は、タッチパネル２７から送られた電圧信号に基づいて、押下された位置の座標情報を通知する信号を生成する。この信号は、インターフェース部２９を介して制御部１５に送られる。
【００２８】
次に、ポータブルナビゲーション装置１０に搭載されているボタン表示方法について説明する。図２は、ポータブルナビゲーション装置１０のボタン表示に関する動作を示すフローチャートである。
まず、電源オンなどの操作があると、ステップＳ１０においてポータブルナビゲーション装置１０はメニュー画面（第１画面に相当）を表示する。
【００２９】
図３は、ステップＳ１０のメニュー画面の一例である。メニュー画面４０には、タッチ式の住所ボタン４１、お気に入りボタン４２、ＰＯＩボタン４３、ナビ設定ボタン４４、枠表示／非表示ボタン（切替手段）４５が表示されている。住所ボタン４１、お気に入りボタン４２、ＰＯＩボタン４３、ナビ設定ボタン４４は、それぞれ下階層のボタンを有している。下階層は何層であってもよく、ボタン数にも限定はない。枠表示／非表示ボタン４５は、後述する枠の表示／非表示を切り換えるためのボタンであり、押下する度に枠の表示と非表示とが切り換えられる。
【００３０】
図２に戻り、ステップＳ１０からステップＳ１１へ進んで、ポータブルナビゲーション装置１０は枠を表示するか否かを判別する。これは、枠表示／非表示ボタン４５で切り換えられた設定が現在、表示の設定になっているか、非表示の設定になっているかを調べることで判別できる。
【００３１】
ステップＳ１１において、非表示の設定になっている場合は、枠を表示しないと判別し、ステップＳ１２へ進んで何れかのボタンが押下されるのを待つ。そして、何れかのボタンが押下されると、ステップＳ１３へ進んで、押下されたボタンに応じて次の画面（第２画面に相当）に遷移する。例えば、図３のメニュー画面４０においてＰＯＩボタン４３が押下された場合は、図８Ｂに示した遷移画面を表示する。
【００３２】
一方、ステップＳ１１において、表示の設定になっている場合は、枠を表示すると判別し、ステップＳ１４へ進んで、メニュー画面の所定場所に枠を重畳する。枠は、メニュー画面より小さければよく、メニュー画面上の各ボタンより若干大きいのが好ましい。枠は移動操作可能であり、枠の所定位置にタッチしながら引っ張ることで移動させることができる。また、枠の形状には限定はなく、円形、楕円形、多角形などを採用できる。また枠の大きさや形状はユーザが任意に変更できるようにしてもよい。例えば、枠の大きさや形状を決める設定画面を設けたり、メニュー画面に重畳された状態の枠を、枠に設けられた変形位置にタッチしながら引っ張ることで変形できるようにしたりすればよい。
【００３３】
ステップＳ１４からはステップＳ１５へ進んで、枠内に位置する少なくとも１つのボタンが下階層のボタンを有するか否かを判別する。枠の位置と大きさとによって、枠内に１つのボタンしか位置しないこともあるし、複数のボタンが位置することもある。
【００３４】
ステップＳ１５において枠内に位置するボタンが下階層のボタンを有する場合、ステップＳ１６へ進んで、そのボタンの１段下階層のボタンを選択操作可能に表示する。例えば、枠内に位置する上階層のボタンが１つである場合、枠内には、該ボタンの１段下階層の全てのボタンを表示する。これにより、枠を移動させなくても一度に１段下階層のボタンを視認することができる。また、枠内に位置する上階層のボタンが複数ある場合、枠内には、それらのボタンそれぞれの１段下階層のボタンを一部ずつ表示する。これにより、それぞれのボタンにある程度の大きさを確保しながら表示することができる。
【００３５】
なお、枠内に位置する上階層のボタンが１つである場合でも、枠内には、該ボタンの１段下階層の一部のボタンを表示するようにしてもよい。これにより、それぞれのボタンを大きく表示することができる。また、枠内に位置する上階層のボタンが複数ある場合でも、枠内には、それらのボタンそれぞれの１段下階層の全てのボタンを表示するようにしてもよい。これにより、枠を移動させなくても一度に１段下階層のボタンを視認することができる。
【００３６】
図４は、ステップＳ１６のメニュー画面の一例である。図３に示したメニュー画面４０のＰＯＩボタン４３上に楕円形の枠５１が重畳され、ＰＯＩボタン４３の１段下階層の全てのボタンが枠内５１に表示されている。全てのボタンとは、周辺検索ボタン５２、Ｅｘｉｔボタン５３、目的地周辺ボタン５４、ＰＯＩ設定ボタン５５である。これら４つのボタンの枠５１からはみ出す部分はカットされて表示されている。また、これら４つのボタンは押下することで操作を認識するようになっている。また、枠５１は移動操作可能であり、枠５１の縁にタッチしながら所望の方向へ引っ張ることで移動させることができる。枠５１の移動に伴う処理については後述する。
【００３７】
このように、枠５１を用いることにより、ユーザは異なる階層のボタンを同時に見ることができる。換言すれは、両者のボタンを見るために画面を切り換える必要がなく、操作が簡便になる。また、枠５１内には限られた数のボタンしか表示しないので、表示部のサイズが小さくても視認及び操作し易い大きさのボタンを維持することができる。
【００３８】
図２に戻り、ステップＳ１５において枠内に位置するボタンが下階層のボタンを有さない場合、ステップＳ１７へ進んで、枠内にはボタンを表示しない。例えば、図４において、枠５１内に枠表示／非表示ボタン４５だけが位置する場合などである。この場合、枠５１内は空白とする。なお、ステップＳ１７では、枠内に位置する上階層のボタンをそのまま枠内に透かして表示するようにしても問題はない。
【００３９】
ステップＳ１６、ステップＳ１７からは共にステップＳ１８へ進み、画面内のボタンが押下されたか否かを判別する。ステップＳ１８において、枠内、枠外に関わらず画面内のボタンが押下された場合は、ステップＳ１３へ進んで、押下されたボタンに応じて次の画面に遷移する。例えば、図４のメニュー画面４０において枠５１内に表示されている周辺検索ボタン５２が押下された場合は、周辺施設の検索を行い、図５に示すような周辺施設一覧画面６０を表示する。周辺施設一覧画面６０には、４つの周辺施設６１〜６４の名称が選択可能に表示されており、所望の施設名を押下すると、地図上でその場所が示される。
【００４０】
このように、枠内、枠外に関わらず画面内のボタンが押下された場合は、次の画面に遷移するので、ユーザは特に枠内のボタンを押下したい場合に押下回数が少なくて済み、利便性が高い。
【００４１】
図２に戻り、ステップＳ１８において、画面内のボタンが押下されない場合は、ステップＳ１９へ進んで、枠の移動操作があったか否かを判別する。枠の移動操作は、上述したように、枠の所定位置にタッチしながら引っ張ればよい。
【００４２】
ステップＳ１９において枠の移動操作がない場合は、ステップＳ１８に戻る。一方、ステップＳ１９において枠の移動操作があった場合は、ステップＳ２０へ進んで、操作された場所まで枠を移動させる。ステップＳ２０からはステップＳ１５に戻り、移動した枠の状況に応じてステップＳ１６又はステップＳ１７に進む。
【００４３】
図６は、枠移動後のステップＳ１６のメニュー画面の一例である。図６は、図４に示したメニュー画面４０の枠５１を紙面下方向へ移動させ、ＰＯＩボタン４３とナビ設定ボタン４４との間まで移動させた状態である。図６では、枠５１がＰＯＩボタン４３とナビ設定ボタン４４の両方に掛かっており、つまり、枠５１内に位置する上階層のボタンが複数ある場合に該当する。したがって、枠５１内には、それらのボタン４３、４４それぞれの１段下階層のボタンを一部ずつ表示している。すなわち、枠５１内には、ＰＯＩボタン４３の１段下階層のＥｘｉｔボタン５３及びＰＯＩ設定ボタン５５と、ナビ設定ボタン４４の１段下階層の地図設定ボタン７１及び誘導設定ボタン７２とを表示している。これら４つのボタンの枠５１からはみ出す部分はカットされて表示されている。また、これら４つのボタンは押下することで操作を認識するようになっている。
【００４４】
枠５１内に下階層のボタンを一部ずつ表示する際、どのボタンを表示させるかは、１段下階層のボタンの配置を予め決めておき、枠５１に重なる配置のボタンを表示させればよい。換言すれば、上階層のボタンが配置された画面（例えば、メニュー画面４０）の下に１段下階層のボタンを配置した画面を重ねておき、枠５１を透明な窓に見立てて、枠５１内だけ下に重ねた画面を表示させればよい。
【００４５】
図７は、更なる枠移動後のステップＳ１６のメニュー画面の一例である。図７は、図６に示したメニュー画面４０の枠５１を紙面下方向へ移動させ、ナビ設定ボタン４４上まで移動させた状態である。図７では、枠５１がナビ設定ボタン４４と枠表示／非表示ボタン４５の両方に掛かっているが、枠表示／非表示ボタン４５は下階層のボタンを有さないため、ナビ設定ボタン４４の１段下階層のボタンだけを表示している。すなわち、枠５１内には、地図設定ボタン７１、誘導設定ボタン７２、探索設定ボタン８１、システムボタン８２を表示している。これら４つのボタンの枠５１からはみ出す部分はカットされて表示されている。また、これら４つのボタンは押下することで操作を認識するようになっている。
【００４６】
上記実施形態では、ボタンの押下及び枠の移動をタッチパネル２７の操作により行う例について説明したが、タッチパネル２７を有さない装置の場合などは、ハードキー２６の操作で行えるようにしてもよい。その場合、例えば、矢印キーで枠の移動や選択するボタンの移動を行い、決定キーでボタンの押下（実行）を行うようにすればよい。
【００４７】
また上記の実施形態では、上階層及び１段下階層を例に説明したが、２段、３段・・・と下階層がある場合も同様であり、１段下階層の画面を表示している状態で枠内に２段下階層の枠を表示するというようにしていけばよい。
【００４８】
また上記の実施形態では、操作手段としてハードキー２６及びタッチパネル２７を用いたが、タッチパネル２７を備えない装置においては、全てのキー操作をハードキー２６で行うようにすればよい。また、マイクを備えれば、音声入力も可能である。その場合ユーザは、例えば、枠の表示／非表示などを音声で指示することができる。
【産業上の利用可能性】
【００４９】
本発明のボタン表示方法は、ポータブル型や車載型のナビゲーション装置をはじめ、ＰＣ、ＰＤＡ（Personal Digital Assistant）、携帯電話機、複写機、デジタルカメラ、音楽プレーヤなど、階層的に画面を表示する各種電子機器であって特にポータブル装置に有効に搭載することができる。
【図面の簡単な説明】
【００５０】
【図１】本発明のポータブルナビゲーション装置の主要な構成を示すブロック図である。
【図２】本発明のポータブルナビゲーション装置のボタン表示に関する動作を示すフローチャートである。
【図３】図２のステップＳ１０のメニュー画面の一例である。
【図４】図２のステップＳ１６のメニュー画面の一例である。
【図５】本発明の周辺施設一覧画面の一例である。
【図６】枠移動後の図２のステップＳ１６のメニュー画面の一例である。
【図７】更なる枠移動後の図２のステップＳ１６のメニュー画面の一例である。
【図８Ａ】従来のナビゲーション装置のメニュー画面の一例である。
【図８Ｂ】図８Ａの遷移画面の一例である。
【符号の説明】
【００５１】
１０    ポータブルナビゲーション装置
４１〜４５    上階層のボタン
４０    第１画面
５２〜５５、７１、７２、８１、８２    １段下階層のボタン
第２画面
４５    表示／非表示ボタン
５１    枠
【図１】
2010061348.tif 000003
【図２】
2010061348.tif 000004
【図３】
2010061348.tif 000005
【図４】
2010061348.tif 000006
【図５】
2010061348.tif 000007
【図６】
2010061348.tif 000008
【図７】
2010061348.tif 000009
【図８Ａ】
2010061348.tif 000010
【図８Ｂ】
2010061348.tif 000011